(57)【要約】【課題】ベルトコンベア装置のベルト走行時においてベルト端部同士の連結部分がローラーの周囲にしっくりと当接してスムーズに周回できるようにする。【解決手段】相対向したローラーＬ１，Ｌ２間に掛架すべくベルト端部１Ａ，１Ｂ同士を連結するに際し、ベルト長手方向に対して斜向状に形成したベルト端部１Ａ，１Ｂそれぞれに複数のフック部材２をベルト長手方向に沿って並設することで略Ｕ字状の突起部３を形成する。ベルト端部１Ａ，１Ｂそれぞれの互いに対向配置するフック部材２の突起部３同士を食い違い状に噛合してから可撓性を有する芯棒材４を突起部３内に貫挿してベルト端部１Ａ，１Ｂ同士を連結する。フック部材２は、ベルトの長手方向に平行に配置し、芯棒材４自体の可撓性でローラＬ１，Ｌ２の周囲に対して連結部分が順次に移動して回転するようにする。【選択図】      図１
2004338868.tif 000002
【特許請求の範囲】
【請求項１】
ベルトコンベア装置のローラー間に掛巡されるベルト本体のベルト端部同士を連結するに際し、ベルト長手方向に対して斜向状に形成したベルト端部それぞれに二股アーム状の複数のフック部材をベルト長手方向に対して平行に並設させることで略Ｕ字状の突起部を形成し、このベルト端部に対向配置したフック部材の突起部同士を食い違い状に噛合させてから可撓性を有する芯棒材を突起部に貫挿してベルト端部同士を連結することを特徴とした物品搬送用ベルトコンベア装置におけるベルト連結方法。
【請求項２】
左右のアームの長さが異なる略Ｖ字型状に折曲され、両端部に爪部を形成して成るフック部材と、フック部材の両アームの爪部が挿入されてフック部材が斜向状に掛架保持される略コ字型の台紙と、ベルト長手方向に対して斜向状に形成したベルト端部それぞれに複数のフック部材がベルト長手方向に対して平行に並設されることで形成されたフック部材の略Ｕ字状の突起部同士を食い違い状に噛合させてから突起部内に貫挿してベルト端部同士を結合する可撓性を有する芯棒材とを備えたことを特徴とする物品搬送用ベルトコンベア装置におけるベルト連結具。
【請求項３】
フック部材は、台紙に対し斜向して配列されている請求項２記載の物品搬送用ベルトコンベア装置におけるベルト連結具。
【請求項４】
フック部材は、台紙の左右両側の側面部の少なくともいずれか一方に形成した斜向している支持溝部に係止してある請求項２または３記載の物品搬送用ベルトコンベア装置におけるベルト連結具。
【発明の詳細な説明】
【０００１】
【発明の属する技術分野】
本発明は、例えば各種物品を搬送するための物品搬送用ベルトコンベア装置において使用される搬送用ベルトの連結方法およびそのベルト連結具に関するものである。
【０００２】
【従来の技術】
従来、この種のベルト連結方法としては、図７に示すように、ベルト本体Ｑの両ベルト端部１Ａ，１Ｂにおけるベルトの長手方向に対して直角な幅方向に略Ｕ字型の複数個の金属製フック２１を所定の間隔にて並設させておき、互いに対向するベルト端部１Ａ，１Ｂ同士の金属製フック２１を互いに食い違い状に嵌合させて形成されるいわば孔状の貫挿部にピン４１を挿入してベルト端部１Ａ，１Ｂの相互間で連結結合するのであり、こうすることでローラーＬに掛巡されるエンドレスベルトが形成される構成となっている（例えば、特許文献１、特許文献２参照）。尚、ベルト端部１Ａ，１Ｂは取り付けられる金属製フック２１がばらばらになって外れることを防止するため、例えば約２０ｍｍ程度の長さで折り曲げるか、接着剤等で硬化させるかして固めてあり、その固い部分は約２５ｍｍ程度の長さとなっているのである。
【０００３】
【特許文献１】
特開２０００−１８３３３号公報
【特許文献２】
米国特許明細書第１，８９４，９８１号
【０００４】
【発明が解決しようとする課題】
しかしながらこのような従来における連結方法では、ベルト端部１Ａ，１Ｂにおけるベルトの長手方向に対して直角な幅方向に複数個の金属製フック２１を所定の間隔にて並設させているため、複数個の金属製フック２１はベルト長手方向に対して直交配置された状態となっている。そうすると、ベルトを巡環駆動させるローラーＬとの間で、ベルトの連結部分における金属製フック２１の全部がいっときにローラーＬ上に至ることになり、特にそのローラーＬが例えば直径で２０〜２５ｍｍ等の細い径であると、ベルトの連結部分が固められていることとも相俟ってベルトがローラーＬ外周面から浮いた状態となり（図７（ｂ）参照）、ベルトの循環駆動が停止するか、供回りしている他のベルトに比し駆動速度が遅くなるかしてしまうのである。
【０００５】
これは例えば図６に示すような多数のベルトが並列して巡環駆動されるようにした洗濯物搬送用ベルトコンベア装置あるいはシーツロール機等において、ローラーＬから浮いてしまったベルトではその駆動がストップしてしまい、ワークである洗濯物等を平均して搬送することが不可能となり、その駆動しないベルト部分では搬送が遅れることで、ワークに皺等が生じる等の問題があった。例えば直径が２０ｍｍのローラーＬの場合には、ベルトが接触する周長は２０×π×０．５（ベルトの肉厚）＝３１．４ｍｍとなり、その周長に対して２５ｍｍが浮いた状態になってローラーＬとの摺動抵抗が得られなくなり、金属製フック２１の連結部分が細い径のローラーＬの位置で動かなくなる等の現象があったのである。また、こうしたことはローラーＬ径が大きければ発生しないが、例えばシーツロール機の加熱チェストの入口に使用されるローラーＬは、濡れたワークを加熱チェストに確実に搬送しなければならないのでできる限り細くする必要があるため、連結部分における金属製フック２１によって多数のベルトの内、２〜３本のベルトの巡環が停止してしまうことがあり、その結果、ワークを加熱チェストに効率よく搬送できなくなるという問題があった。
【０００６】
そこで本発明は叙上のような従来存した諸事情に鑑み創出されたもので、ベルト端部同士の連結部分を斜向状に形成すると共にこの連結部分に跨って屈曲状に連結させるフック部材をベルトの長手方向に沿って平行に配置することによって、この連結部分におけるフック部材がベルトの巡環走行時においてローラー上をベルトの幅方向で順次に１本ずつのフック部材があたかも移動するようになりながらローラーの周囲にしっくりと当接してスムーズに周回できるようにしたのである。すなわち、こうすることで、如上のような従来生じていた問題を解決して使用上の大きな利点が得られるようにエンドレスに構成するベルト端部同士を柔軟性ある連結構成にした物品搬送用ベルトコンベア装置におけるベルト連結方法およびベルト連結具を提供することを目的とする。
【０００７】
【課題を解決するための手段】
上述した課題を解決するため、本発明に係る物品搬送用ベルトコンベア装置におけるベルト連結方法にあっては、ベルトコンベア装置ＰのローラーＬ１，Ｌ２間に掛巡されるベルト本体Ｑのベルト端部１Ａ，１Ｂ同士を連結するに際し、ベルト長手方向に対して斜向状に形成したベルト端部１Ａ，１Ｂそれぞれに二股アーム状の複数のフック部材２をベルト長手方向に対して平行に並設させることで略Ｕ字状の突起部を形成し、このベルト端部１Ａ，１Ｂに対向配置するフック部材２の突起部３同士を食い違い状に噛合させてから可撓性を有する芯棒材４を突起部３内に貫挿してベルト端部１Ａ，１Ｂ同士を連結するものである。
また、本発明に係る物品搬送用ベルトコンベアにおけるベルト連結具にあっては、左右のアーム２Ａ，２Ｂの長さが異なる略Ｖ字型状に折曲され、両端部に爪部２Ｃを形成して成るフック部材２と、フック部材２の両アーム２Ａ，２Ｂの爪部２Ｃが挿入されてフック部材２が斜向状に掛架保持される略コ字型の台紙５と、ベルト長手方向に対して斜向状に形成したベルト端部１Ａ，１Ｂそれぞれに複数のフック部材２がベルト長手方向に対して並設されることで形成されたフック部材２の略Ｕ字状の突起部３同士を食い違い状に噛合させてから突起部３内に貫挿してベルト端部１Ａ，１Ｂ同士を連結する可撓性を有する芯棒材４とを備えたものである。
フック部材２は、台紙５に対し、斜向して配列されているものとして構成でき、また台紙５の左右両側の側面部５Ｂの少なくともいずれか一方に形成した斜向している支持支持溝部１２に係止して構成することができる。
【０００８】
以上のように構成された本発明に係る物品搬送用ベルトコンベア装置におけるベルト連結方法およびベルト連結具において、二股アーム状の複数のフック部材２は、ベルト長手方向に対して斜向状に形成した両ベルト端部１Ａ，１Ｂそれぞれに対しベルト長手方向に対して平行させた状態で並設されることで突起部３がベルト端部１Ａ，１Ｂの斜向状に隣接配置される。
そしてベルトコンベア装置ＰのローラーＬ１，Ｌ２間にベルト本体Ｑを一定の張力を付与した状態で両ベルト端部１Ａ，１Ｂ同士を連結するとき、芯棒材４を突起部３に貫挿することで、ベルト端部１Ａ，１Ｂ同士が連結される。
これによりベルト端部１Ａ，１Ｂ同士の連結部分がローラーＬ１，Ｌ２の周囲に密着状に当接されると共に、ベルト走行中にローラーＬ１，Ｌ２周面と芯棒材４との接触点が横方向に順次移動する状態となり、押圧力が分散されてベルトをローラーＬ１，Ｌ２周面に沿わせてスムーズに走行させる。すなわち、ベルト端部１Ａ，１Ｂ相互の連結部分におけるフック部材２がベルトの長さ方向に沿い、またその斜向縁によって順次にずれて配置されていることで、巡環走行時においてローラーＬ１，Ｌ２上をベルトの幅方向では順次に１本ずつのフック部材２があたかも移動するようになりながら、芯棒材４の屈曲性と相俟ってローラーＬ１，Ｌ２の周囲にしっくりと当接し、その結果、連結部分をローラーＬ１，Ｌ２周面から浮かすことなく、密着させることでベルトの回転伝達を円滑にさせるのである。
また、複数のフック部材２は、台紙５によって斜向状に位置決めさせた状態となって配列掛架させられ、斜向状に形成したベルト端部１Ａ，１Ｂに対してベルト長手方向に平行させてフック部材２を沿わせる。
【０００９】
【発明の実施の形態】
以下図面を参照して本発明の実施の形態を説明すると、図において示される符号Ｑは、各種物品、例えばクリーニング工場での洗濯物を搬送するためのベルト本体であり、例えば図６に示すような物品搬送用ベルトコンベア装置Ｐにおける相対向したローラーＬ１，Ｌ２間に無端状に掛巡される。
【００１０】
尚、本実施の形態ではクリーニング工場での洗濯物を搬送する物品搬送用ベルトコンベア装置Ｐに本発明のベルト本体Ｑを採用しているが、このような物品搬送用ベルトコンベア装置Ｐの構成自体によって本発明は何等限定されるものではなく、他の物品搬送用ベルトコンベア装置に応用しても良いことは勿論である。
【００１１】
ベルト本体Ｑは、図１に示すように、ベルト端部１Ａ，１Ｂ同士を、ベルト長手方向に対して例えば１５度〜６０度範囲内の角度でもって斜向状となるように例えばベルト端部１Ａ，１Ｂを斜方向に切断するか、もしくは三角状に折り返すかしてから縫製したり、接着したりするか等して端縁部を斜向状に形成し、この傾斜した縁部相互を突き合わせるように連結することでエンドレス状に構成される。
【００１２】
ベルト端部１Ａ，１Ｂを連結するに際し、図１，図２に示すように左右の長さの異なるアーム２Ａ，２Ｂによって略Ｖ字型状に折曲形成され、両アーム２Ａ，２Ｂの端部それぞれにはベルト食い込み可能な爪部２Ｃが屈曲形成されているフック部材２をベルト端部１Ａ，１Ｂそれぞれにベルト長手方向に沿って平行にして並設しておく。そして、図１，図２に示すように、ベルト端部１Ａ，１Ｂそれぞれの互いに対向配置するフック部材２の突起部３同士を互いに食い違い状に噛合させてから可撓性を有する芯棒材４を突起部３内に貫挿することでベルト端部１Ａ，１Ｂ同士を連結してある。
【００１３】
図３に示すように、フック部材２は、中央背面部５Ａを介して左右両側に側面部５Ｂを折曲形成して成る略コ字型の台紙５の当該側面部５Ｂ両端縁部側から、側面部５Ｂの長手方向に沿って穿設されている左右の取付孔部５Ｃに両アーム２Ａ，２Ｂの爪部２Ｃをそれぞれ挿入掛架させるように、平面からみて略Ｖ字状を呈するように、また、側面からみて傾斜して取り付けられている（図５（ｂ）参照）。ベルト端部１Ａ，１Ｂへのフック部材２の取り付けに際し、図４に示すように、台紙５によって支持されているフック部材２を左右開閉式の圧搾機７における中央の支持台の支持溝内に嵌め入れて位置決めさせておき、次いで各フック部材２のＶ字折曲部分である突起部に、支持台を貫挿させるようにして芯金６を挿入する（図４（ａ）参照）。その後、ベルト端部１Ａ，１Ｂを台紙５の中央背面部５Ａ側に挿入して台紙５を除去し、左右アーム２Ａ，２Ｂ同士を圧搾機７の左右開閉部を互いに内側に折り込むことで圧縮し、両爪部２Ｃをベルト端部１Ａ，１Ｂに食い込ませた後（図４（ｂ）参照）、芯金６を除去し、圧縮機７から取り外すことで、ベルト端部１Ａ，１Ｂにフック部材２を並列状に固着配置するのである（図４（ｃ）参照）。
【００１４】
すなわち台紙５は、帯紙材の長手方向に沿った中央背面部５Ａを介して左右両側に側面部５Ｂを折曲して略コ字型枠状に形成され、側面部５Ｂの長手方向に沿ってフック部材２の左右のアーム２Ａ，２Ｂの異なる長さに対応した位置に対応して、またアーム部２Ａ，２Ｂ自体が台紙５に対し斜向配置されるように千鳥状に穿設されている左右の取付孔部５Ｃに、フック部材２の左右アーム２Ａ，２Ｂの両爪部２Ｃがそれぞれ挿入されることにより、一枚の台紙５に対して複数のフック部材２が斜向状に掛架保持されて成るベルト連結具Ｒが形成されるものとしてある。
【００１５】
台紙５の具体的な構成としては、図５に示すように、台紙５を折曲することで、開口部を備えた断面でほぼコ字形状に形成すると共に、左右両側の側面部５Ｂそれぞれに、開口部を跨いで取り付けられるフック部材２の爪部２Ｃを貫挿係止させる取付孔部５Ｃを穿設配列し、側面部５Ｂの少なくともいずれか一方に、フック部材２の本体部分を挿入係止させる斜向した支持溝部１２を辺縁から切欠状にして形成してある。すなわち台紙５のいずれか一方の側面部５Ｂに長手方向に沿って櫛歯状に斜めに配置された支持溝部１２を形成し、この支持溝部１２にフック部材２のアーム２Ａ，２Ｂのいずれか一方側を係合させることで、台紙５に取り付けられている複数のフック部材２相互間の距離を一定の間隔に斜向状に保持させるものとしてある。支持溝部１２における斜向角度は、ベルト端部１Ａ，１Ｂの端縁部における斜向角度と対応しており、上述のように台紙５を利用してベルト端部１Ａ，１Ｂそれぞれにフック部材２を食い込み状に並設したとき、フック部材２をベルト長手方向に沿ったものとさせるようにしてある。
【００１６】
次に以上のように構成された実施の形態についてのベルト端部１Ａ，１Ｂ同士の連結方法の一例を説明するに、例えば１５度〜６０度範囲内の角度でもって斜向状となるようにベルト端部１Ａ，１Ｂを予め切断形成しておく一方、その斜向角度に対応して台紙５にフック部材２を支持配置しておく。次いで、ベルト端部１Ａ，１Ｂそれぞれに、台紙５によって位置決めされているフック部材２をこのフック部材２における略Ｕ字状の突起部３がベルト端部１Ａ，１Ｂから突出状にに並設されるようにその爪部２Ｃにて食い込ませて固着する。このとき、フック部材２の突起部３は、ベルト端部１Ａ，１Ｂの端縁に対しては斜向状に沿って所定の間隔に位置決めされた状態で並設されるも、ベルト端部１Ａ，１Ｂに対してはそのベルト長手方向に沿って平行に配置させたものとして配列される。
【００１７】
その後、両ベルト端部１Ａ，１Ｂ同士を連結するのであり、このときベルト端部１Ａ，１Ｂそれぞれの互いに対向配置するフック部材２の突起部３同士を互いに食い違い状に噛合させてから可撓性を有する芯棒材４を突起部３の孔内に貫挿することで、ベルト長手方向に沿って配列されたフック部材２を介してベルト端部１Ａ，１Ｂ同士を芯棒材４位置で屈曲可能にした状態で連結結合させてエンドレスベルトを構成する。
【００１８】
【発明の効果】
本発明は以上のように構成されているために、ベルト走行時においてエンドレスに構成されるベルト端部１Ａ，１Ｂ同士の連結部分がローラーＬ１，Ｌ２の周囲にしっくりと当接してスムーズに周回できるものとなる。
【００１９】
すなわちベルト端部１Ａ，１Ｂ同士の連結部分が斜向状で、その端部相互を連結するフック部材２はベルト長手方向に平行に配置され、しかもフック部材２それぞれを可撓性を有する芯棒材４を介して互いに連結してあるから、連結部分はローラーＬ１，Ｌ２の周囲に密着状に当接されると共に、ベルト走行中にローラーＬ１，Ｌ２周面と芯棒材４との接触点が横方向に順次に異時系列的に移動する状態となる。そのためベルト本体Ｑの連結部分がローラーＬ１，Ｌ２周面上で移動するとき、ローラーＬ１，Ｌ２に対する芯棒材４の押圧力が分散されてベルトをスムーズに走行させることができる。特にローラーＬ１，Ｌ２の直径が２０〜２５ｍｍ程度の細い径のものであってもこれにしっくりと当接し、ローラーＬ１，Ｌ２外周面から浮き上がることもなく、ローラーＬ１，Ｌ２の回転駆動力でベルトを停止させずに確実に循環走行させることができる（図２参照）。
【００２０】
フック部材２は、台紙５に対して斜向した状態で配列支持されているから、ベルト長手方向に対して斜向しているベルト端部１Ａ，１Ｂそれぞれに並設したとき、フック部材２自体はベルト長手方向に沿って平行に配列されたものとなり、ローラーＬ１，Ｌ２に対してしっくりと当接した状態で周回される。
【００２１】
したがって、例えばクリーニング工場におけるシーツロール機の加熱チェスト入口の径が小さいローラーであっても円滑に周回でき、複数で並列駆動するローラー、ベルトの一部においても停止することがなくなるからワークである洗濯物を確実、円滑に皺を生じさせることもなく搬送することができる。
【図面の簡単な説明】
【図１】本発明の実施の形態を示すベルト連結状態の一部切欠平面図である。
【図２】同じく連結部分のローラーとの周回状態における側断面図である。
【図３】同じくベルト連結具の一例を示す一部省略の斜視図である。
【図４】フック部材をベルト端部に取り付ける手順を示すもので、（ａ）は圧搾機に芯棒材を介して支持されたフック部材の左右アーム内にベルト端部を挿入する状態の断面図、（ｂ）は圧搾機を圧搾してフック部材の左右アーム同士を内側に折り込み、両爪部をベルト端部に食い込ませる状態の断面図、（ｃ）は両爪部をベルト端部に食い込ませることによって略Ｕ字状の複数の突起部をベルト端部に形成した状態の断面図である。
【図５】同じく台紙の具体的な展開形状の一例を示すもので、（ａ）は台紙の展開図であり、（ｂ）はフック部材が配列支持されている状態の開口部側からみた平面図である。
【図６】クリーニング装置における洗濯物搬送用のベルトコンベア装置を示す斜視図である。
【図７】従来例を示し、その（ａ）はベルト連結状態の一部切欠平面図、（ｂ）は連結部分のローラーとの周回状態における側断面図である。
【符号の説明】
Ｐ…物品搬送用ベルトコンベア装置    Ｑ…ベルト本体
Ｒ…ベルト連結具                    Ｌ，Ｌ１，Ｌ２…ローラー
１Ａ，１Ｂ…ベルト端部              ２…フック部材
２Ａ，２Ｂ…アーム                  ２Ｃ…爪部
３…突起部                          ４…芯棒材
５…台紙                            ５Ａ…中央背面部
５Ｂ…側面部                        ５Ｃ…取付孔部
６…芯金                            ７…圧搾機
１２…支持溝部
２１…金属製フック                  ４１…ピン
【図１】
2004338868.tif 000003
【図２】
2004338868.tif 000004
【図３】
2004338868.tif 000005
【図４】
2004338868.tif 000006
【図５】
2004338868.tif 000007
【図６】
2004338868.tif 000008
【図７】
2004338868.tif 000009